(57)【要約】    【課題】  複数の記憶媒体を収納した記憶媒体保持装置の保管の操作性向上、及び情報処理装置本体内での複数の記憶媒体の配置性向上を両立させることができる記憶媒体保持装置を提供する。    【解決手段】  記憶媒体保持装置１２は、電子手帳や電子カメラ等の各機器の電子データを蓄積すると共に、角筒状に配列された４つの第１記憶媒体２１ａ〜第４記憶媒体２１ｄを互いに空間を十分確保しつつ挿抜自在に保持する。この記憶媒体保持装置１２は、例えばサーバ装置又はパーソナルコンピュータ装置である情報処理装置１１に開口部１３を介して挿抜自在に収納される。記憶媒体保持装置１２を情報処理装置１１から抜き出された状態で保管される場合は、第１記憶媒体２１ａ〜第４記憶媒体２１ｄ同士を隣接整列させて、記憶媒体保持装置１２自体をコンパクト化する。【選択図】      図２
2006048844.tif 000002
【特許請求の範囲】
【請求項１】
複数の記憶媒体を夫々挿抜自在に収納する複数のソケット部と、前記複数のソケット部を互いに接続する接続手段とを備え、情報処理装置に挿抜自在に収納される記憶媒体保持装置において、
前記接続手段は、前記記憶媒体保持装置が前記情報処理装置に挿入されるときは、前記複数のソケット部を互いに離間すると共に、前記記憶媒体保持装置が前記情報処理装置から抜き出されるときは、前記複数のソケット部を互いに接近させるように構成されていることを特徴とする記憶媒体保持装置。
【請求項２】
前記接続手段は、前記記憶媒体保持装置が前記情報処理装置に挿入されるときは、前記複数のソケット部を横断面多角形状に接続することを特徴とする請求項１記載の記憶媒体保持装置。
【請求項３】
前記断面多角形状に接続された複数のソケット部の中央部の空間に冷却手段を備えることを特徴とする請求２記載の記憶媒体保持装置。
【請求項４】
前記接続手段は、前記複数のソケット部の１つにおける両端に設けられた一対のスライド溝と、前記複数のソケット部の他の１つにおける一端に設けられ、前記一対のスライド溝の一方に係合するスライドピンと、前記複数のソケット部のさらに他の１つにおける一端に設けられ、前記一対のスライド溝の他方に係合する他のスライドピンとを備えることを特徴とする請求項２又は３記載の記憶媒体保持装置。
【請求項５】
前記接続手段は、前記複数のソケット部の１つにおける一端下部に設けられ、前記複数のソケット部の他の１つとのヒンジ部と、前記複数のソケット部の１つにおける他端上部に設けられ、前記複数のソケット部の更に他の１つとの他のヒンジ部とを備えることを特徴とする請求項２又は３記載の記憶媒体保持装置。
【請求項６】
前記接続手段は、前記複数のソケット部を並列するように接続し、前記記憶媒体保持装置が前記情報処理装置に挿入されるときは、前記複数のソケット部を互いに離間するように構成されていることを特徴とする請求項１記載の記憶媒体保持装置。
【請求項７】
前記接続手段は、前記複数のソケット部の各側部に各ピンジョイント部が夫々連結されたパンタグラフ状のＸ字リンク部を備えることを特徴とする請求項６記載の記憶媒体保持装置。
【請求項８】
前記複数のソケット部は、前記複数の記憶媒体の半分を１つ置きに櫛歯配置で挿抜自在に収納する第１のソケット部と、前記複数の記憶媒体の残りの半分を１つ置きに前記複数の記憶媒体の半分に対して千鳥状配置で挿抜自在に収納する第２のソケット部とを備え、前記第１のソケット部と前記第２のソケット部は、櫛形歯部が互いに嵌合すると共に、互いに接近離間方向にスライド自在であり、
前記接続手段は、前記情報処理装置に取り付けられたローラと、前記ローラに係合すべく前記第１のソケット部に設けられた第１のガイド溝と、前記ローラに係合すべく前記第２のソケット部に設けられた第２のガイド溝とを備えることを特徴とする請求項１記載の記憶媒体保持装置。
【発明の詳細な説明】
【技術分野】
【０００１】
本発明は、記憶媒体保持装置に関し、特に、電子データを蓄積するハードディスク等の記憶媒体を挿抜自在に保持すると共に、サーバ又はパーソナルコンピュータ等の情報処理装置に挿抜自在に収納される記憶媒体保持装置に関する。
【背景技術】
【０００２】
近年の情報化社会の進展に伴い、サーバ又はパーソナルコンピュータ等の情報処理装置には、ハードディスク等の記憶媒体を複数個収納可能な機種がある。即ち、そのような機種の情報処理装置は、情報処理装置で処理するデータ量の増大に対応するため、又はレイド（RAID: Redundant Arrays of Inexpensive Disk）アレイシステムによる、障害の発生した記憶媒体のデータを冗長データにより自動的にスペアの記憶媒体上で修復し、スペアの記憶媒体の修復データを自動的に他の記憶媒体へコピーするデータバックアップ機能の追加に対応するため、複数の記憶媒体を収納することができる。
【０００３】
そして、複数の記憶媒体を収納可能な情報処理装置では、それらの複数の記憶媒体を情報処装置に対し挿抜自在にすることにより、複数の記憶媒体を情報処理装置の外部でも保管可能とし、より多量のデータ又は多様なデータを安全に保管することができる。
【０００４】
更に、これら複数の記憶媒体を記憶媒体保持装置に対し挿抜自在にすると共に、この記憶媒体保持装置を情報処理装置に対して挿抜自在にすることにより、複数の記憶媒体を情報処理装置の外部でも一括して保管可能とし、データの管理をより簡易にすることができる。
【０００５】
また、記憶媒体は、その駆動機構や制御回路によりある程度の発熱を伴うので、複数の記憶媒体を積層実装するには、記憶媒体同士の間の空間を十分確保し、情報処理装置内部に設けられた冷却ファンなどにより空気対流を生じさせて記憶媒体を冷却している。
【０００６】
図１５は、従来の記憶媒体保持装置及び該保持装置を収納する情報処理装置の構成を概略的に示す分解斜視図である。
【０００７】
図１５において、記憶媒体保持装置１２は、電子手帳や電子カメラ等の各機器の電子データを蓄積する４つの第１記憶媒体２１ａ〜第４記憶媒体２１ｄを挿抜自在に収納保持する。
【０００８】
情報処理装置１１は、例えばサーバ装置又はパーソナルコンピュータ装置であり、開口部１３を有し、開口部１３を介して記憶媒体保持装置１２を挿抜自在に収納することができる。情報処理装置１１は、また、記憶媒体保持装置１２が挿入された後、又は抜き出された後に開口部１３を閉鎖する上蓋１４と、情報処理装置１１より電子データを他の機器に送信及び受信するための各種コネクタジャック部１５と、情報処理装置１１内部を冷却する冷却ファン（不図示）からの空気を排気するための排気口１６とを備える。
【０００９】
第１記憶媒体２１ａ〜第４記憶媒体２１ｄは、一般的なレイドアレイシステムの記憶媒体であり、夫々同一形状として記憶媒体保持装置１２のどの収納位置へも独立に挿抜自在である。そして、第１記憶媒体２１ａ〜第４記憶媒体２１ｄは、その下面のプラグ側コネクタ部（不図示）が、記憶媒体保持装置１２より露出しており、情報処理装置１１のリセプタクル側コネクタ部（不図示）と電気的接続することにより電子データの通信を行うことができる。
【００１０】
また、搭載される磁気ディスクドライブの設置角度を水平に対して１０°以上傾けることにより、前記磁気ディスクドライブの発熱により温められた付近の空気の流れを滑らかにする磁気ディスク装置が提案されている（例えば、特許文献１参照）。
【特許文献１】特開２０００−１４９５４１号公報
【発明の開示】
【発明が解決しようとする課題】
【００１１】
しかしながら、記憶媒体保持装置１２は、第１記憶媒体２１ａ〜第４記憶媒体２１ｄの間の空間を十分確保して、冷却用に空気対流が行えるサイズになっており、このまま情報処理装置１１の外部で保管するには、嵩張って操作性が悪い。
【００１２】
上記従来技術では、第１記憶媒体２１ａ〜第４記憶媒体２１ｄを収納した記憶媒体保持装置１２にて一括管理する場合のように、記憶媒体保持装置１２を情報処理装置１１の外部で保管する場合は、記憶媒体保持装置１２自体が嵩張って操作性が悪い。
【００１３】
記憶媒体保持装置１２自体を小型化することも考えられるが、中に収容された記憶媒体２１同士を隣接させるか近づけた構成にならざるをえず、このような構成では、記憶媒体２１同士の間の空間で暖まった空気が停滞して、記憶媒体２１で発生した熱が放熱されにくく、情報処理装置１１内部の温度が上昇する。情報処理装置１１本体内に挿入されている記憶媒体２１が熱害を受けると、その動作が不安定になるだけでなく最悪の場合は、記憶媒体２１自身が破損する場合がある。
【００１４】
このため、情報処理装置１１に強力な冷却ファンを設け、この冷却ファンにより記憶媒体２１を強制的に冷却する方法もあるが、この場合、情報処理装置１１は、強力な冷却ファンの回転による大きな騒音が発生するという問題も生ずる。
【００１５】
本発明の目的は、複数の記憶媒体を収納した記憶媒体保持装置の保管の操作性向上、及び情報処理装置本体内での複数の記憶媒体の配置性向上を両立させることができる記憶媒体保持装置を提供することにある。
【課題を解決するための手段】
【００１６】
上記目的を達成するために、請求項１記載の記憶媒体保持装置は、複数の記憶媒体を夫々挿抜自在に収納する複数のソケット部と、前記複数のソケット部を互いに接続する接続手段とを備え、情報処理装置に挿抜自在に収納される記憶媒体保持装置において、前記接続手段は、前記記憶媒体保持装置が前記情報処理装置に挿入されるときは、前記複数のソケット部を互いに離間すると共に、前記記憶媒体保持装置が前記情報処理装置から抜き出されるときは、前記複数のソケット部を互いに接近させるように構成されていることを特徴とする。
【００１７】
請求項２記載の記憶媒体保持装置は、請求項１記載の記憶媒体保持装置において、前記接続手段は、前記記憶媒体保持装置が前記情報処理装置に挿入されるときは、前記複数のソケット部を横断面多角形状に接続することを特徴とする。
【００１８】
請求項３記載の記憶媒体保持装置は、請求項２記載の記憶媒体保持装置において、前記断面多角形状に接続された複数のソケット部の中央部の空間に冷却手段を備えることを特徴とする。
【００１９】
請求項４記載の記憶媒体保持装置は、請求項２又は３記載の記憶媒体保持装置において、前記接続手段は、前記複数のソケット部の１つにおける両端に設けられた一対のスライド溝と、前記複数のソケット部の他の１つにおける一端に設けられ、前記一対のスライド溝の一方に係合するスライドピンと、前記複数のソケット部のさらに他の１つにおける一端に設けられ、前記一対のスライド溝の他方に係合する他のスライドピンとを備えることを特徴とする。
【００２０】
請求項５記載の記憶媒体保持装置は、請求項２又は３記載の記憶媒体保持装置において、前記接続手段は、前記複数のソケット部の１つにおける一端下部に設けられ、前記複数のソケット部の他の１つとのヒンジ部と、前記複数のソケット部の１つにおける他端上部に設けられ、前記複数のソケット部の更に他の１つとの他のヒンジ部とを備えることを特徴とする。
【００２１】
請求項６記載の記憶媒体保持装置は、請求項１記載の記憶媒体保持装置において、前記接続手段は、前記複数のソケット部を並列するように接続し、前記記憶媒体保持装置が前記情報処理装置に挿入されるときは、前記複数のソケット部を互いに離間するように構成されていることを特徴とする。
【００２２】
請求項７記載の記憶媒体保持装置は、請求項６記載の記憶媒体保持装置において、前記接続手段は、前記複数のソケット部の各側部に各ピンジョイント部が夫々連結されたパンタグラフ状のＸ字リンク部を備えることを特徴とする。
【００２３】
請求項８記載の記憶媒体保持装置は、請求項１記載の記憶媒体保持装置において、前記複数のソケット部は、前記複数の記憶媒体の半分を１つ置きに櫛歯配置で挿抜自在に収納する第１のソケット部と、前記複数の記憶媒体の残りの半分を１つ置きに前記複数の記憶媒体の半分に対して千鳥状配置で挿抜自在に収納する第２のソケット部とを備え、前記第１のソケット部と前記第２のソケット部は、櫛形歯部が互いに嵌合すると共に、互いに接近離間方向に互いにスライド自在であり、前記接続手段は、前記情報処理装置に取り付けられたローラと、前記ローラに係合すべく前記第１のソケット部に設けられた第１のガイド溝と、前記ローラに係合すべく前記第２のソケット部に設けられた第２のガイド溝とを備えることを特徴とする。
【発明の効果】
【００２４】
請求項１記載の記憶媒体保持装置によれば、記憶媒体保持装置が情報処理装置に挿入されるときは、複数のソケット部を互いに離間すると共に、記憶媒体保持装置が情報処理装置から抜き出されるときは、複数のソケット部を互いに接近させるように構成されているので、記憶媒体保持装置が情報処理装置に挿入されるときは、放熱を促進することができ、加えて、記憶媒体保持装置が情報処理装置から抜き出されるときは、記憶媒体同士を隣接整列させて、記憶媒体保持装置自体をコンパクト化することができ、もって、複数の記憶媒体を収納した記憶媒体保持装置の保管の操作性向上、及び情報処理装置本体内での複数の記憶媒体の配置性向上を両立させることができる。
【００２５】
請求項２記載の記憶媒体保持装置によれば、記憶媒体保持装置が情報処理装置に挿入されるときは、複数のソケット部を横断面多角形状に接続するので、中央部に十分な空間を確保することができる。
【００２６】
請求項３記載の記憶媒体保持装置によれば、断面多角形状に接続された複数のソケット部の中央部の空間に冷却手段を備えるので、複数のソケットを確実に冷却することができる。
【００２７】
請求項４記載の記憶媒体保持装置によれば、接続手段が、複数のソケット部の１つにおける両端に設けられた一対のスライド溝と、前記複数のソケット部の他の１つにおける一端に設けられ、前記一対のスライド溝の一方に係合するスライドピンと、前記複数のソケット部のさらに他の１つにおける一端に設けられ、前記一対のスライド溝の他方に係合する他のスライドピンとを備えるので、接続手段を簡単な構成で実現することができる。
【００２８】
請求項５記載の記憶媒体保持装置によれば、接続手段が、複数のソケット部の１つにおける一端下部に設けられ、前記複数のソケット部の他の１つとのヒンジ部と、前記複数のソケット部の１つにおける他端上部に設けられ、前記複数のソケット部の更に他の１つとの他のヒンジ部とを備えるので、記憶媒体保持装置の形態を容易に変更することができる。
【００２９】
請求項６記載の記憶媒体保持装置によれば、複数のソケット部を並列するように接続し、記憶媒体保持装置が情報処理装置に挿入されるときは、複数のソケット部を互いに離間するように構成されているので、記憶媒体保持装置の形態を容易に変更することができる。
【００３０】
請求項７記載の記憶媒体保持装置は、請求項６記載の記憶媒体保持装置において、接続手段は、複数のソケット部の各側部に各ピンジョイント部が夫々連結されたパンタグラフ状のＸ字リンク部を備えるので、接続手段を簡単な構成で実現することができる。
【００３１】
請求項８記載の記憶媒体保持装置は、請求項１記載の記憶媒体保持装置において、複数のソケット部は、複数の記憶媒体の半分を１つ置きに櫛歯配置で挿抜自在に収納する第１のソケット部と、複数の記憶媒体の残りの半分を１つ置き複数の記憶媒体の半分に対して千鳥状配置で挿抜自在に収納する第２のソケット部とを備え、第１のソケット部と第２のソケット部は、櫛形歯部が互いに嵌合すると共に、互いに接近離間方向に互いにスライド自在であり、接続手段は、情報処理装置に取り付けられたローラと、ローラに係合すべく前記第１のソケット部に設けられた第１のガイド溝と、ローラに係合すべく第２のソケット部に設けられた第２のガイド溝とを備えるので、接続手段を簡単な構成で実現することができる。
【発明を実施するための最良の形態】
【００３２】
以下、本発明の実施の形態を図面を参照しながら詳述する。
【００３３】
図１は、本発明の第１の実施の形態に係る記憶媒体保持装置を収納する情報処理装置の構成を概略的に示す部分切り欠き斜視図である。
【００３４】
図１において、情報処理装置１１は、例えばサーバ装置又はパーソナルコンピュータ装置であり、開口部１３を有し、開口部１３を介して記憶媒体保持装置１２を挿抜自在に収納することができる。情報処理装置１１は、また、記憶媒体保持装置１２が挿入された後、又は抜き出された後に開口部１３を閉鎖する上蓋１４と、情報処理装置１１より電子データを他の機器に送信及び受信するための各種コネクタジャック部１５とを備える。
【００３５】
記憶媒体保持装置１２は、電子手帳や電子カメラ等の各機器の電子データを蓄積すると共に、角筒状に配列された４つの第１記憶媒体２１ａ〜第４記憶媒体２１ｄを互いに空間を十分確保しつつ挿抜自在に保持する（図２）。
【００３６】
情報処理装置１１は、さらに、記憶媒体保持装置１２内の第１記憶媒体２１ａ〜第４記憶媒体２１ｄの中央部の空間に配され、情報処理装置１１内部、具体的には第１記憶媒体２１ａ〜第４記憶媒体２１ｄを冷却する冷却ファン１７と、冷却ファン１７からの空気を排気する排気口１６とを備える。
【００３７】
図２は、図１における記憶媒体保持装置１２の斜視図であり、情報処理装置１１への収納状態を示す。
【００３８】
図２において、記憶媒体保持装置１２は、第１記憶媒体２１ａ〜第４記憶媒体２１ｄを夫々収納保持する第１ソケット部２２ａ〜第４ソケット部２２ｄから成る。第１ソケット部２２ａ〜第４ソケット部２２ｄは、夫々が横断面四角形の一辺毎に配置され、全体で角筒状に組み上げられて記憶媒体保持装置１２を構成する。これにより、その中央部に空間が構成され、第１記憶媒体２１ａ〜第４記憶媒体２１ｄ同士の間の空間を十分確保し、もって第１記憶媒体２１ａ〜第４記憶媒体２１ｄの放熱を促進することができる。
【００３９】
第１ソケット部２２ａは、その両端にＬ字形状の第１スライド溝２３ａ及び第４スライド溝２３ｄを夫々備え、第３ソケット部２２ｃは、その両端に第２スライド溝２３ｂ及び第３スライド溝２３ｃを夫々備え、第２ソケット部２２ｂは、その両端に第１スライドピン２４ａ及び第２スライドピン２４ｂ夫々備え、第４ソケット部２２ｄは、その両端に第３スライドピン２４ｃ及び第４スライドピン２４ｄを夫々備える。
【００４０】
第１スライドピン２４ａは第１スライド溝２３ａに係合し、第１スライド溝２３ａ内を回転及び移動自在である。以下同様に、第２スライドピン２４ｂは第２スライド溝２３ｂに係合し、第２スライド溝２３ｂ内を回転及び移動自在であり、第３スライドピン２４ｃは第３スライド溝２３ｃに係合し、第３スライド溝２３ｃ内を回転及び移動自在であり、第４スライドピン２４ｄは第４スライド溝２３ｄに係合し、第４スライド溝２３ｄ内を回転及び移動自在である。
【００４１】
図２の状態では、第１ソケット部２２ａ〜第４ソケット部２２ｄのうち互いに隣り合ったもの同士が接触しているので、第１スライドピン２４ａ〜第４スライドピン２４ｄは回転が規制され、第１ソケット部２２ａ〜第４ソケット部２２ｄは角筒状の配置関係が維持される。
【００４２】
ここで、記憶媒体保持装置１２は角筒状に組み上げられているので、情報処理装置１１へ０°，９０°，１８０°，２７０°の回転位置で挿入自在である。情報処理装置１１では、レイドアレイシステムで構成された第１記憶媒体２１ａ〜第４記憶媒体２１ｄが１つの理論ユニットとして認識されるので、第１記憶媒体２１ａ〜第４記憶媒体２１ｄの配置位置が変更されたり、互いの相対的配置位置が変更されても問題にならない。
【００４３】
第１記憶媒体２１ａ〜第４記憶媒体２１ｄは、一般的なレイドアレイシステムの記憶媒体であり、夫々同一形状として第１ソケット部２２ａ〜第４ソケット部２２ｄのうちどのソケットにも独立に挿抜自在である。
【００４４】
図３は、図２の記憶媒体保持装置１２の斜視図であり、形態を変化させる過程の状態を示す。
【００４５】
図３において、記憶媒体保持装置１２は、角筒状の配置関係からの形態を変化させるために、第１ソケット部２２ａに対してソケット部２２ｄがスライド移動すると共に、第２ソケット部２２ｂに対して第３ソケット部２２ｃがスライド移動する。これにより、第１スライドピン２４ａ〜第４スライドピン２４ｄは、回転の規制が解除され、夫々第１スライド溝２３ａ〜第４スライド溝２３ｄ内で回転自在となり、第１ソケット部２２ａ〜第４ソケット部２２ｄは断面平行四辺形の配置関係をとる。
【００４６】
図４は、図２の記憶媒体保持装置１２の斜視図であり、折りたたみ状態を示す。
【００４７】
図４において、第１ソケット部２２ａ〜第４ソケット部２２ｄを、記憶媒体保持装置１２の中央部の空間がなくなるように、横断面平行四辺形の配置関係から平面形状の配置関係に変化させる。
【００４８】
そして、第２ソケット部２２ｂを、第１ソケット部２２ａに対して直列に接触するように且つ第３ソケット部２２ｃに並列に接触するようにスライド移動し、以下同様に、第４ソケット部２２ｄを第３ソケット部２２ｃに対して直列に接触するように且つ第１ソケット部２２ａに並列に接触するようにスライド移動する。
【００４９】
図４の状態では、第１ソケット部２２ａ〜第４ソケット部２２ｄは、それらのうち隣り合ったもの同士が接触した状態なので、スライドピン２４ａ〜２４ｄを介する回転が規制され、平面形状の配置関係を維持する。
【００５０】
第１スライド溝２３ａ〜第４スライド溝２３ｄが、Ｌ字形状をしているのは、第１スライドピン２４ａ〜第４スライドピン２４ｄの回転を規制するのに、ソケット部同士の隣接状態が、図２の状態と図４の状態との違いに対応するためである。
【００５１】
これにより、記憶媒体保持装置１２を情報処理装置１１から抜き出された状態で保管される場合に、第１記憶媒体２１ａ〜第４記憶媒体２１ｄ同士を隣接整列させて、記憶媒体保持装置１２自体をコンパクト化でき、もって操作性を向上させることができ、特に、記憶媒体保持装置１２が、目的別に複数個ある場合に収納性及び操作性を向上させることができる。
【００５２】
また、記憶媒体保持装置１２を改めて情報処理装置１１に挿入する際は、記憶媒体保持装置１２を図４の平面形状の配置関係から、図３の断面平行四辺形の配置関係を経て、図２の角筒状の配置関係に形態を変更した後、情報処理装置１１に挿入する。
【００５３】
図５は、本発明の第２の実施の形態に係る記憶媒体保持装置を収納する情報処理装置の構成を概略的に示す部分切り欠き斜視図である。
【００５４】
本第２の実施の形態は、その構成が上記第１の実施の形態と基本的に同じであり、同じ構成要素については同一の符号を付して重複した説明を省略し、以下に異なる構成要素についてのみ説明する。このことは、以下の実施の形態において同じである。
【００５５】
図５において、記憶媒体保持装置１２は、角筒状に配列された４つの第１記憶媒体２１ａ〜第４記憶媒体２１ｄを互いに空間を十分確保しつつ挿抜自在に保持する（図７）。記憶媒体１２の中央空間に、記憶媒体１２を冷却する冷却ファン１７が配されている。
【００５６】
図６は、図５における記憶媒体保持装置１２の斜視図であり、情報処理装置１１への収納状態を示す。
【００５７】
図６において、記憶媒体保持装置１２は、第１記憶媒体２１ａ〜第４記憶媒体２１ｄを各収納位置に保持する第１ソケット部２２ａ〜第４ソケット部２２ｄから成る。第１ソケット部２２ａ〜第４ソケット部２２ｄは、夫々が横断面四角形の一辺毎に配置され、全体で角筒状に組み上げられて記憶媒体保持装置１２を構成する。これにより、その中央部に空間が構成され、第１記憶媒体２１ａ〜第４記憶媒体２１ｄ同士の間の空間を十分確保し、もって第１記憶媒体２１ａ〜第４記憶媒体２１ｄの放熱を促進することができる。
【００５８】
第１ソケット部２２ａと第２ソケット部２２ｂはその下側に配された第１ヒンジ部２７ａを介して曲折自在に互いに接続され、第２ソケット部２２ｂと第３ソケット部２２ｃは同じく下側に配された第２ヒンジ部２７ｂ（不図示）を介して曲折自在に互いに接続され、第３ソケット部２２ｃと第４ソケット部２２ｄはその上側に配された第３ヒンジ部２７ｃを介して曲折自在に互いに接続され、第４ソケット部２２ｄと第１ソケット部２２ａは同じく上側に配された第４ヒンジ部２７ｄを介して曲折自在に互いに接続されている。
【００５９】
第１ソケット部２２ａと第２ソケット部２２ｂは第１ヒンジ部２７ａの上方に、折りたたみ時に第３ヒンジ部２７ｃを受容する凹部を有し、以下同様に、第２ソケット部２２ｂと第３ソケット部２２ｃは第２ヒンジ部２７ｂの上方に第４ヒンジ部２７ｄを受容する凹部を有し、第３ソケット部２２ｃと第４ソケット部２２ｄは第３ヒンジ部２７ｃの下方に第１ヒンジ部２７ａを受容する凹部を有し、第４ソケット部２２ｄと第１ソケット部２２ａは第４ヒンジ部２７ｄの下方に第２ヒンジ部２７ｂを受容する凹部を有する。
【００６０】
また、第１ヒンジ部２７ａ〜第４ヒンジ部２７ｄの各中央部には、夫々第１ねじりコイルバネ２８ａ〜第４ねじりコイルバネ２８ｄが配されている。第１ねじりコイルバネ２８ａ〜第４ねじりコイルバネ２８ｄの各腕部に対応する第１ソケット部２２ａ〜第４ソケット部２２ｄの部分には逃げのための溝スペースが設けられている。
【００６１】
第１ねじりコイルバネ２８ａは、第１ソケット部２２ａ及び第２ソケット部２２ｂを開く方向に付勢しており、第２ねじりコイルバネ２８ｂ（不図示）は、第２ソケット部２２ｂ及び第３ソケット部２２ｃを閉じる方向に付勢しており、第３ねじりコイルバネ２８ｃは、第３ソケット部２２ｃ及び第４ソケット部２２ｄを開く方向に付勢しており、第４ねじりコイルバネ２８ｄは、第４ソケット部２２ｄ及び第１ソケット部２２ａを閉じる方向に付勢している。
【００６２】
ここで、記憶媒体保持装置１２は角筒状に組み上げられているので、情報処理装置１１へ０°，９０°，１８０°，２７０°の回転位置で挿入自在である。情報処理装置１１では、レイドアレイシステムで構成された第１記憶媒体２１ａ〜第４記憶媒体２１ｄが１つの理論ユニットとして認識されるので、第１記憶媒体２１ａ〜第４記憶媒体２１ｄの配置位置が変更されたり、互いの相対的配置位置が変更されても問題にならない。
【００６３】
第１記憶媒体２１ａ〜第４記憶媒体２１ｄは、一般的なレイドアレイシステムの記憶媒体であり、夫々同一形状として第１ソケット部２２ａ〜第４ソケット部２２ｄのうちどのソケットにも独立に挿抜自在である。
【００６４】
図７は、図６の記憶媒体保持装置１２の斜視図であり、形態を変化させる過程の状態を示す。
【００６５】
図７において、記憶媒体保持装置１２は、角筒状の配置関係より形態を変化させる。第１ヒンジ部２７ａ〜第４ヒンジ部２７ｄの接続と第１ねじりコイルバネ２８ａ〜第４ねじりコイルバネ２８ｄの付勢により、第１ソケット部２２ａ〜第４ソケット部２２ｄは、横断面平行四辺形の配置関係をとる。
【００６６】
図８は、図６の記憶媒体保持装置１２の斜視図であり、折りたたみ状態を示す。
【００６７】
図８において、第１ソケット部２２ａ〜第４ソケット部２２ｄは、記憶媒体保持装置１２の中央部の空間を無くすように、断面平行四辺形の配置関係から平面形状の配置関係に変化する。
【００６８】
そして、第２ソケット部２２ｂを、第１ソケット部２２ａに対して直列に接触するように且つ第３ソケット部２２ｃに並列に接触するように回転移動し、以下同様に、第４ソケット部２２ｄを第３ソケット部２２ｃに対して直列に接触するように且つ第１ソケット部２２ａに並列に接触するように回転移動する。
【００６９】
図８の状態では、第１ソケット部２２ａ〜第４ソケット部２２ｄは、それらのうち隣り合ったもの同士が接触し、夫々第１ねじりコイルバネ２８ａ〜第４ねじりコイルバネ２８ｄで付勢された状態なので、回転が規制され、平面形状の配置関係を維持する。
【００７０】
これにより、記憶媒体保持装置１２を情報処理装置１１から抜き出された状態で保管される場合に、記憶媒体２１同士を隣接整列させて、記憶媒体保持装置１２自体をコンパクト化でき、もって操作性を向上させることができ、特に、記憶媒体保持装置１２が、目的別に複数個ある場合に収納性及び操作性を向上させることができる。
【００７１】
また、記憶媒体保持装置１２を改めて情報処理装置１１に挿入する際は、記憶媒体保持装置１２を図８の平面形状の配置関係から、図７の断面平行四辺形の配置関係を経て、図６の角筒状の配置関係に形態を変更した後、情報処理装置１１に挿入する。
【００７２】
図９は、本発明の第３の実施の形態に係る記憶媒体保持装置を収納する情報処理装置の構成を概略的に示す部分切り欠き斜視図である。
【００７３】
図９において、情報処理装置１１は、第１記憶媒体２１ａ〜第４記憶媒体２１ｄを千鳥状の配置関係で互いに空間を十分確保しつつ挿抜自在に保持する記憶媒体保持装置１２を収納し（図１０）、さらに、開口部１３を規定する側壁の内側にガイドコロ３１を有する。このガイドコロ３１は、記憶媒体保持装置１２の挿抜時に後述する記憶媒体保持装置１２の第１ガイド溝３１ａ〜第２ガイド溝３１ｂと係合する。
【００７４】
図１０は、図９の記憶媒体保持装置１２の斜視図であり、情報処理装置１１への収納状態を示す。
【００７５】
図１０において、記憶媒体保持装置１２は、第１記憶媒体２１ａ及び第３記憶媒体２１ｃを１つ置きに櫛形配置で挿抜自在に収納する第１ソケット部２２ａと、第２記憶媒体２１ｂ及び第４記憶媒体２１ｄを１つ置きに且つ第１記憶媒体２１ａ及び第３記憶媒体２１ｃに対して千鳥状配置で挿抜自在に収納する第２ソケット部２２ｂとを備える。
【００７６】
第１ソケット部２２ａと第２ソケット部２２ｂは、櫛形歯部が互いに嵌合すると共に、接近離間方向に互いにスライド移動自在である。第１ソケット部２２ａは、その側壁に情報処理装置１１のガイドコロ３１と係合する曲線形状の第１ガイド溝３２ａを有し、第２ソケット部２２ｂは、その側壁にガイドコロ３１と係合する第２ガイド溝３２ｂを有する。第１ガイド溝３２ａと第２ガイド溝３２ｂは、互いに重なり合い、且つその曲線形状が線対象である。これにより、記憶媒体保持装置１２が情報処理装置１１に挿入されるときは、第１ソケット部２２ａと第２ソケット部２２ｂは、互いに離間する方向にスライド移動して、図１０に示すように、情報処理装置１１への収納状態になる。これにより、第１記憶媒体２１ａ〜第４記憶媒体２１ｄが千鳥状の配置関係となり、第１記憶媒体２１ａと第３記憶媒体２１ｃの間、並びに第２記憶媒体２１ｂと第４記憶媒体２１ｄの間に空間が構成され、記憶媒体同士の間に空間を十分確保し、もって第１記憶媒体２１ａ〜第４記憶媒体２１ｄの放熱を促進することができる。
【００７７】
ここで、情報処理装置１１は、レイドアレイシステムで構成された４つの第１記憶媒体２１ａ〜第４記憶媒体２１ｄを、１つの理論ユニットとして認識するので、第１記憶媒体２１ａ〜第４記憶媒体２１ｄの配置位置が変更されたり、互いの相対的配置位置が変更されても問題にならない。また、第１記憶媒体２１ａ〜第４記憶媒体２１ｄは、第１ソケット部２１ａと第２ソケット部２１ｂのどの収納位置に独立に挿抜自在である。
【００７８】
一方、記憶媒体保持装置１２が情報処理装置１１から抜き出されるときは、第１ガイド溝３２ａと第２ガイド溝３２ｂは、互いに接近する方向にスライド移動して、図１１に示すように、情報処理装置１１からの抜き出し状態になる。
【００７９】
図１１は、図９の記憶媒体保持装置１２の斜視図であり、情報処理装置１１からの抜き出し状態を示す図である。
【００８０】
図１１において、記憶媒体保持装置１２が情報処理装置１１から抜き出される場合、第１ガイド溝３２ａと第２ガイド溝３２ｂは、ガイドコロ３１の作用により最下部にて重なり合う結果、第１ソケット部２２ａと第２ソケット部２２ｂは互いに接近して記憶媒体保持装置１２の千鳥状の空間がない状態に保持される。
【００８１】
これにより、記憶媒体保持装置１２を情報処理装置１１の外部で保管する場合に、記憶媒体２１同士を隣接整列させて、記憶媒体保持装置１２自体がコンパクト化でき操作性を向上させることができる。特に、記憶媒体保持装置１２が目的別に複数個ある場合に、収納性及び操作性がよい。
【００８２】
また、記憶媒体保持装置１２を改めて情報処理装置１１に挿入する際は、記憶媒体保持装置１２を図１１の抜き出し状態の配置関係から、図１０の収納状態の配置関係に形態を変更した後、情報処理装置１１に挿入する。
【００８３】
図１２は、本発明の第４の実施の形態に係る記憶媒体保持装置を収納する情報処理装置を示す斜視図である。
【００８４】
図１２において、情報処理装置１１は、第１記憶媒体２１ａ〜第４記憶媒体２１ｄを互いに離間した配置関係で互いに空間を十分確保しつつ挿抜自在に保持する記憶媒体保持装置１２を有し（図１３）、さらに、開口部１３を規定する側壁内側部分にリンク溝３５を有する。リンク溝３５は、後述する記憶媒体保持装置１２のリンクコロ３４と係合する。
【００８５】
図１３は、図１２の記憶媒体保持装置１２の斜視図であり、情報処理装置２１へ収納状態にある場合を示す。
【００８６】
図１３において、記憶媒体保持装置１２は、第１記憶媒体２１ａ〜第４記憶媒体２１ｄを夫々収納する第１ソケット部２２ａ〜第４ソケット部２２ｄを有する。これらの第１ソケット部２２ａ〜第４ソケット部２２ｄは、リンク装置を介して接続されている。
【００８７】
リンク装置は、横方向に伸縮するように配列されたパンタグラフ状であると共に、上側ピンジョイント部が第１ソケット部２２ａ〜第４ソケット部２２ｄの各側部に夫々連結されたＸ字リンク部３７と、情報処理装置１１のリンク溝３５に係合するリンクコロ３４と、一端がリンクコロ３４に連結され、他端が第１ソケット部２２ａの側部においてＸリンク部３７の上側ピンジョイントに回転自在に連結された第１リンク腕３６ａと、一端がリンクコロ３４に連結され、他端が第４ソケット部の側部においてＸリンク部３７の上側ピンジョイントに回転自在に連結された第２リンク腕３６ｂとを備える。第２リンク腕３６ｂは、第１リンク腕３６ａより長い。
【００８８】
これにより、記憶媒体保持装置１２が情報処理装置１１に挿抜される際に、リンクコロ３４がリンク溝３５と接触する部分で規制されて、第１リンク腕３６ａと第２リンク腕３６ｂは、左右方向に開いていく。よって、第１ソケット部２２ａ〜第４ソケット部２２ｄが、記憶媒体の厚み方向に互いにスライド移動する事となる。
【００８９】
これにより、記憶媒体保持装置１２が情報処理装置１１に挿入されるときは、第１ソケット部２２ａ〜第４ソケット部２２ｄは、記憶媒体２１の厚さ方向に離間する方向に互いにスライド移動して、図１０に示すように、情報処理装置１１への収納状態になる。これにより、第１記憶媒体２１ａ〜第４記憶媒体２１ｄの各間に空間が構成され、記憶媒体同士の間に空間を十分確保し、もって第１記憶媒体２１ａ〜第４記憶媒体２１ｄの放熱を促進することができる。
【００９０】
ここで、情報処理装置１１は、レイドアレイシステムで構成された４つの第１記憶媒体２１ａ〜第４記憶媒体２１ｄを、１つの理論ユニットとして認識するので、第１記憶媒体２１ａ〜第４記憶媒体２１ｄの配置位置が変更されたり、互いの相対的配置位置が変更されても問題にならない。また、第１記憶媒体２１ａ〜第４記憶媒体２１ｄは、第１ソケット部２１ａ〜第４ソケット部２１ｂのどの収納位置への独立に挿抜自在である。
【００９１】
一方、記憶媒体保持装置１２が情報処理装置１１から抜き出されるときは、Ｘリンク部３７の作用により、互いに接近する方向にスライド移動して、図１４に示すように、情報処理装置１１からの抜き出し状態になる。
【００９２】
図１４は、図１２の記憶媒体保持装置１２の斜視図であり、情報処理装置２１からの抜き出し状態を示す。
【００９３】
図１４において、記憶媒体保持装置１２が情報処理装置１１より抜き出される際、第１ソケット部２２ａ〜第４ソケット部２２ｄは、記憶媒体保持装置１２の離間した状態の空間をなくすようにスライド移動する。つまり、第１リンク腕３６ａと第２リンク腕３６ｂは、リンクコロ３４とリンク溝３５の作用により、両側から接近する。
【００９４】
図１４の状態では、第１ソケット部２２ａ〜第４ソケット部２２ｄが接触しているので、記憶媒体保持装置１２は、隙間のない状態を維持し、これにより、記憶媒体保持装置１２を情報処理装置１１の外部で保管される場合に、記憶媒体同士を隣接整列させて、記憶媒体保持装置１２自体がコンパクト化でき操作性が極めて向上する。特に、記憶媒体保持装置１２が目的別に複数個ある場合に、収納性及び操作性がよい。
【００９５】
また、記憶媒体保持装置１２を改めて情報処理装置１１に挿入する際は、第１記憶媒体〜第４記憶媒体の形態を、図１４の隙間の無い状態の形状構造より、図１３の離間した状態の形状構造に至って、情報処理装置１１に対して挿抜自在な状態になる。
【００９６】
また、上記第１〜第４の実施の形態では、記憶媒体が４つの場合を対象としているが、記憶媒体が４つ以外の複数個であってもよい。
【図面の簡単な説明】
【００９７】
【図１】本発明の第１の実施の形態に係る記憶媒体保持装置を収納する情報処理装置の構成を概略的に示す部分切り欠き斜視図である。
【図２】図１における記憶媒体保持装置の斜視図であり、情報処理装置へ挿抜自在な状態を示す。
【図３】図２の記憶媒体保持装置の斜視図であり、形態を変化させる過程の状態を示す。
【図４】図２の記憶媒体保持装置の斜視図であり、折りたたみ状態を示す。
【図５】本発明の第２の実施の形態に係る記憶媒体保持装置を収納する情報処理装置の構成を概略的に示す部分切り欠き斜視図である。
【図６】図５における記憶媒体保持装置の斜視図であり、情報処理装置への収納状態を示す。
【図７】図６の記憶媒体保持装置の斜視図であり、形態を変化させる過程の状態を示す。
【図８】図６の記憶媒体保持装置の斜視図であり、折りたたみ状態にある場合を示す。
【図９】本発明の第３の実施の形態に係る記憶媒体保持装置を収納する情報処理装置の構成を概略的に示す部分切り欠き斜視図である。
【図１０】図９の記憶媒体保持装置の斜視図であり、情報処理装置への収納状態にある場合を示す。
【図１１】図９の記憶媒体保持装置の斜視図であり、情報処理装置からの抜き出し状態を示す。
【図１２】本発明の第４の実施の形態に係る記憶媒体保持装置を収納する情報処理装置を示す斜視図である。
【図１３】図１２の記憶媒体保持装置の斜視図であり、情報処理装置へ収納状態にある場合を示す。
【図１４】図１２の記憶媒体保持装置の斜視図であり、情報処理装置からの抜き出し状態を示す。
【図１５】従来の記憶媒体保持装置及び該保持装置を収納する情報処理装置の構成を概略的に示す分解斜視図である。
【符号の説明】
【００９８】
１１  情報処理装置
１２  記憶媒体保持装置
１３  開口部
１４  上扉
１５  コネクタジャック部
１６  排気口
１７  冷却ファン
２１  記憶媒体
２２  ソケット部
２３  スライド溝
２４  スライドピン
２７  ヒンジ部
２８  ねじりコイルバネ
３１  ガイドコロ
３２  ガイド溝
３４  リンクコロ
３５  リンク溝
３６  リンク腕
３７  Ｘ字リンク部
【図１】
2006048844.tif 000003
【図２】
2006048844.tif 000004
【図３】
2006048844.tif 000005
【図４】
2006048844.tif 000006
【図５】
2006048844.tif 000007
【図６】
2006048844.tif 000008
【図７】
2006048844.tif 000009
【図８】
2006048844.tif 000010
【図９】
2006048844.tif 000011
【図１０】
2006048844.tif 000012
【図１１】
2006048844.tif 000013
【図１２】
2006048844.tif 000014
【図１３】
2006048844.tif 000015
【図１４】
2006048844.tif 000016
【図１５】
2006048844.tif 000017